【手続補正書】
【提出日】平成19年3月16日(2007.3.16)
【手続補正１】
【補正対象書類名】特許請求の範囲
【補正対象項目名】全文
【補正方法】変更
【補正の内容】
【特許請求の範囲】
【請求項１】
シンボルシーケンスを駆動するマルチモードＰＡＭ（パルス振幅変調）送信機であって、  出力クロックのクロックレートで決定されるレートで、前記シンボルシーケンスを駆動するためのドライバ回路と、
前記ドライバ回路に結合され、かつ前記クロックレートを有する前記出力クロックを発生させるためのクロック回路であって、前記クロックレートは、ＰＡＭモード信号によって決定され、前記ＰＡＭモード信号は、前記出力ドライバ送信機のＰＡＭモードを特定する、クロック回路と、
前記ドライバ回路の入力に結合される出力を有するマルチモードシリアル変換器であって、データをパラレルに受信し、かつ少なくともひとつには前記ＰＡＭモードで決定される順序で、前記受信されたデータをシリアル化する、マルチモードシリアル変換器とを備える、マルチモードＰＡＭ送信機。
【請求項２】
前記順序は、少なくともひとつには、ワード長モード信号によって特定されるワード長モードに従ってさらに決定され、かつ前記ワード長モード信号は、前記シンボルシーケンスに関連するワード長を特定する、請求項１に記載の送信機。
【請求項３】
前記送信機は、少なくともひとつにはバイトモード信号に従って、前記マルチモードシリアル変換器への入力で、多数の受信されたデータバイトを同時にラッチするためのものである、請求項１に記載の送信機。
【請求項４】
前記ドライバ回路は、第１パイプラインおよび第２パイプラインを含み、かつ前記第１パイプラインおよび前記第２パイプラインは、前記マルチモードシリアル変換器から、前記順序付けられたデータを受信するためのものである、請求項１に記載の送信機。
【請求項５】
前記ドライバ回路は、前記ＰＡＭモードが第１ＰＡＭモードである場合、前記第１パイプラインを使用禁止にするためのものである、請求項４に記載の送信機。
【請求項６】
前記シンボルシーケンスは、前記ＰＡＭモードが第１ＰＡＭモードである場合、Ｎ−ＰＡＭシンボルであり、
前記シンボルシーケンスは、前記ＰＡＭモードが第２ＰＡＭモードである場合、Ｍ−ＰＡＭシンボルであり、かつ
ＮはＭに等しくない、請求項１に記載の送信機。
【請求項７】
シンボルシーケンスを受信するマルチモードＰＡＭ受信機であって、
受信クロックのクロックレートで、前記シンボルシーケンスを受信し、かつ対応するデータストリームを発生させるための受信機回路と、
前記受信機回路に結合され、かつ前記クロックレートを有する前記受信クロックを発生させるためのクロック回路であって、前記クロックレートは、ＰＡＭモード信号によって決定され、前記ＰＡＭモード信号は、前記受信機の前記ＰＡＭモードを特定する、クロック回路と、
前記受信機回路の出力に結合される入力を有するマルチモードデシリアル変換器であって、パラレルデータサブストリームを有するフォーマットされたデータストリームを発生させるために、前記ＰＡＭモード信号に従って、前記データストリームからのシリアル化されたデータを順序付ける、マルチモードデシリアル変換器とを備える、マルチモードＰＡＭ受信機。
【請求項８】
前記クロック回路は、複数の別個のクロックレートの各々で、前記受信クロックを発生させるためのものであり、かつ前記複数の別個のクロックレートの各々は、それぞれのＰＡＭモードに対応する、請求項７に記載の受信機。
【請求項９】
前記クロック回路は、調節可能クロックレート乗算回路構成を含み、前記ＰＡＭモード信号および信号基準クロック信号のみを受信する、請求項７に記載の受信機。
【請求項１０】
前記調節可能クロックレート乗算回路構成は、前記ＰＡＭモード信号に応答する第１回路、およびワード長モード信号に応答する第２回路を含み、かつ前記ワード長モード信号は、前記シンボルシーケンスに関連するワード長を特定する、請求項９に記載の受信機。
【請求項１１】
前記第２クロック回路は、前記ＰＡＭモード信号に応答する第１サブ回路、およびワード長モード信号に応答する第２サブ回路を含むフェーズロックドループを含み、かつ前記ワード長モード信号は、前記シンボルシーケンスに関連するワード長を特定する、請求項７に記載の受信機。
【請求項１２】
前記シンボルシーケンスは、前記ＰＡＭモードが第１ＰＡＭモードである場合、Ｎ−ＰＡＭシンボルであり、
前記シンボルシーケンスは、前記ＰＡＭモードが第２ＰＡＭモードである場合、Ｍ−ＰＡＭシンボルであり、かつ
ＮはＭに等しくない、請求項７に記載の受信機。
【請求項１３】
データシンボルシーケンスを通信するシステムであって、
前記シンボルシーケンスを駆動するマルチモードＰＡＭ出力ドライバを含み、かつ前記出力ドライバは、出力クロックのクロックレートによって決定されるレートで前記シンボルシーケンスを駆動するためのドライバ回路を含む、送信機と、
前記送信機に結合されるリンクと、
前記リンクに結合される受信機であって、前記シンボルシーケンスを受信するためのものである、受信機と、
前記出力ドライバに結合される第１クロック回路であって、前記クロックレートを有する前記出力クロックを発生させるためのものであり、前記クロックレートは、ＰＡＭモード信号によって決定され、かつ前記ＰＡＭモード信号は、前記出力ドライバのＰＡＭモードを特定する、第１クロック回路と、
前記出力ドライバの入力に結合される出力を有するマルチモードシリアル変換器であって、データをパラレルに受信し、かつ少なくともひとつには前記ＰＡＭモードで決定される順序で、前記受信されたデータをシリアル化する、マルチモードシリアル変換器とを備える、システム。
【請求項１４】
前記順序は、少なくともひとつにはワード長モード信号によって特定されるワード長モードに従ってさらに決定され、かつ前記ワード長モード信号は、前記シンボルシーケンスに関連するワード長を特定する、請求項１３に記載のシステム。
【請求項１５】
前記送信機は、少なくともひとつにはバイトモード信号に従って、前記マルチモードシリアル変換器への入力で、多数の受信データバイトをパラレルに同時にラッチするためのものである、請求項１３に記載のシステム。
【請求項１６】
前記出力ドライバは、第１パイプラインおよび第２パイプラインをさらに含み、かつ前記第１パイプラインおよび前記第２パイプラインは、前記マルチモードシリアル変換器からの前記順序付けられたデータを受信するためのものである、請求項１３に記載のシステム。
【請求項１７】
前記出力ドライバは、前記ＰＡＭモードが第１ＰＡＭモードである場合、前記第１パイプラインを使用禁止にするためのものである、請求項１６に記載のシステム。
【請求項１８】
前記データシンボルシーケンスは、前記ＰＡＭモードが第１ＰＡＭモードである場合、Ｎ−ＰＡＭシンボルであり、
前記シンボルシーケンスは、前記ＰＡＭモードが第２ＰＡＭモードである場合、Ｍ−ＰＡＭシンボルであり、かつ
ＮはＭに等しくない、請求項１３に記載のシステム。
【請求項１９】
前記受信機は
前記ＰＡＭモード信号によって決定されるクロックレートを有する受信クロックを発生させるための第２クロック回路であって、前記ＰＡＭモード信号は、前記受信機の前記ＰＡＭモードをさらに特定する、第２クロック回路と、
前記受信クロックの前記クロックレートで、前記シンボルシーケンスを受信し、かつ対応するデータストリームを発生させるための受信機回路とをさらに備える、請求項１３に記載のシステム。
【請求項２０】
前記第２クロック回路は、複数の別個のクロックレートの各々で、前記受信クロックを発生させるためのものであり、かつ前記複数の別個のクロックレートの各々は、それぞれのＰＡＭモードに対応する、請求項１９に記載のシステム。
【請求項２１】
前記第２クロック回路は、前記ＰＡＭモード信号および前記出力クロックのみを受信するための調節可能クロックレート乗算回路を含む、請求項１９に記載のシステム。
【請求項２２】
前記調節可能クロックレート乗算回路構成は、ＰＡＭモード信号に応答する第１回路、およびワード長モード信号に応答する第２回路を含み、かつ前記ワード長モード信号は、前記シンボルシーケンスに関連するワード長を特定する、請求項２１に記載のシステム。
【請求項２３】
前記第２クロック回路は、前記ＰＡＭモード信号に応答する第１サブ回路、およびワード長モード信号に応答する第２サブ回路を含むフェーズロックドループを含み、かつ前記ワード長モード信号は、前記シンボルシーケンスに関連するワード長を特定する、請求項１９に記載のシステム。
【請求項２４】
前記受信機は、前記受信機回路の出力に結合される入力を有するマルチモードデシリアル変換器をさらに含み、前記マルチモードデシリアル変換器は、パラレルデータサブストリームを有するフォーマットされたデータストリームを発生させるために、前記ＰＡＭモード信号に従って、前記データストリームからのシリアル化されたデータを順序付ける、請求項１９に記載のシステム。
【請求項２５】
シンボルシーケンスを送信する方法であって、
クロックのクロックレートによって決定されるレートで、前記シンボルシーケンスを駆動するステップと、
前記クロックレートを有する前記クロックを発生させるステップであって、前記クロックレートは、ＰＡＭモード信号によって決定され、かつ前記ＰＡＭモード信号は、ＰＡＭモードの動作を特定する、ステップと、
パラレルに受信されるデータをシリアル化するステップであって、少なくともひとつには前記ＰＡＭモードによって決定される順序である、ステップとを含む方法。
【請求項２６】
前記順序は、少なくともひとつにはワード長モード信号によって特定されるワード長モードに従ってさらに決定され、前記ワード長モード信号は前記シンボルシーケンスに関連するワード長を特定する、請求項２５に記載の方法。
【請求項２７】
前記シンボルシーケンスは、前記ＰＡＭモードが第１ＰＡＭモードである場合、Ｎ−ＰＡＭシンボルであり、
前記シンボルシーケンスは、前記ＰＡＭモードが第２ＰＡＭモードである場合、Ｍ−ＰＡＭシンボルであり、
ＮはＭに等しくない、請求項２５に記載の方法。
【請求項２８】
シンボルシーケンスを受信する方法であって、
クロックのクロックレートによって決定されるレートで、前記シンボルシーケンスを受信し、かつ対応するデータストリームを発生させるステップと、
前記クロックレートを有する前記クロックを発生させるステップであって、前記クロックレートは、ＰＡＭモード信号によって決定され、かつ前記ＰＡＭモード信号は、ＰＡＭモードの動作を特定する、ステップと、
前記データストリームでシリアルに受信されるデータをデシリアル化するステップであって、パラレルデータサブストリームを有するフォーマットされたデータストリームを発生させるために、少なくともひとつには前記ＰＡＭモードによって決定される順序である、ステップとを含む、方法。
【請求項２９】
前記シンボルシーケンスは、前記ＰＡＭモードが第１ＰＡＭモードである場合、Ｎ−ＰＡＭシンボルであり、
前記シンボルシーケンスは、前記ＰＡＭモードが第２ＰＡＭモードである場合、Ｍ−ＰＡＭシンボルであり、かつ
ＮはＭに等しくない、請求項２８に記載の方法。
【請求項３０】
シンボルシーケンスを受信するマルチモードＰＡＭ受信機であって、
受信クロックのクロックレートで、前記シンボルシーケンスを受信し、かつ対応するデータストリームを発生させる第１手段と、
前記第１手段に結合され、かつ前記クロックレートを有する前記受信クロックを発生させるための第２手段であって、前記クロックレートは、ＰＡＭモード信号によって決定され、かつ前記ＰＡＭモード信号は、前記受信機の前記ＰＡＭモードを特定する、第２手段と、
前記第２手段に結合される第３手段であって、パラレルデータサブストリームを有するフォーマットされたデータストリームを発生させるために、前記ＰＡＭモード信号に従って、前記データストリームからのシリアル化されたデータを順序付けるものである、第３手段とを含む、マルチモードＰＡＭ受信機。